(57)【要約】【課題】  作成原稿ファイルから出力用原稿ファイル転換後の校正は、人為的読み上げ作業にて校正がおこなわれていた。【解決手段】  作成原稿ファイルからテキストを編集作成後、出力用原稿ファイルにテキストを変換し、作成原稿ファイルから出力用原稿ファイル転換後の校正おこなう校正システムを提供する。【選択図】      図１
2006012099.tif 000002
【特許請求の範囲】
【請求項１】
ＨＴＭＬ変換出力可能な任意の書類作成アプリケーションにて作成された作成原稿ファイルを読み取る作成原稿ファイル読取手段と、読み取った作成原稿ファイルを任意の基準タグリストおよび基準制御命令コードにあわせて作成原稿ＨＴＭＬファイルにＨＴＭＬ変換をおこなう作成原稿変換手段と、前記作成原稿ファイルに基づいて出力原稿作成アプリケーションで作成された出力用原稿ファイルを読み取る出力用原稿ファイル読取手段と読み取った出力用原稿ファイルを任意の前記基準タグリストおよび前記基準制御命令コードにあわせて出力用原稿ＨＴＭＬファイルにＨＴＭＬ変換をおこなう出力用原稿変換手段と、前記作成原稿ＨＴＭＬファイルと、前記出力用原稿変換手段を比較し異なる修正データを抽出する修正データ抽出手段と前記修正データを紙面やモニタ、記録媒体等の任意の出力媒体にて出力する修正データ出力手段とよりなる文書校正システム。
【請求項２】
作成原稿ファイルから作成原稿ＨＴＭＬファイルを作成する任意の工程段階あるいは出力用原稿ファイルから出力用原稿ＨＴＭＬファイルを作成する任意の工程段階においてその時点でのファイルを保存するファイル保存手段を具備することを特徴とする請求項１記載の文書校正システム。
【発明の詳細な説明】
【技術の分野】
【０００１】  本発明は、作成原稿ファイルからテキストを編集作成後、出力用原稿ファイルにテキストを変換し、作成原稿ファイルから出力用原稿ファイル転換後の校正システムに関するものである。
【背景技術】
【０００２】  文章を読み上げ、音声を保存し印刷校正に適用した発明がされていた。
【特許文献１】特許公開番号  特開平０５−３１３６８５
【発明の開示】
【発明が解決しようとする課題】
【０００３】  これには次のような欠点があった。
従来、作成原稿ファイルからテキストを編集作成後、出力用原稿ファイルにテキストを変換し、作成原稿ファイルから出力用原稿ファイル転換後の校正ソフトは既存しなかった。
（イ）  従来、作成原稿ファイルからテキストを作成後、用紙にテキストデータをプリント出力し、作成原稿ファイルから出力用原稿ファイルにて編集後、ハードコピー出力をおこない、人為的読み上げ作業にて校正がおこなわれていた。
（ロ）  従来、作成原稿ファイルから編集作成テキストからのＨＴＭＬの不要なタグの削除方法が既存していなかった。また、出力用原稿ファイルにテキストを変換し、ＨＴＭＬの不要なタグの削除方法が既存していなかったため、作成原稿ファイルの作成データと出力用原稿ファイルテキストデータの校正方法が既存しなかった。
本発明は、これらの問題点を解決するためになされたものである。
【課題を解決するための手段】
【０００４】  ＨＴＭＬ変換出力可能な任意の書類作成アプリケーションにて作成された作成原稿ファイルを読み取る作成原稿ファイル読取手段と、読み取った作成原稿ファイルを任意の基準タグリストおよび基準制御命令コードにあわせて作成原稿ＨＴＭＬファイルにＨＴＭＬ変換をおこなう作成原稿変換手段と、前記作成原稿ファイルに基づいて出力原稿作成アプリケーションで作成された出力用原稿ファイルを読み取る出力用原稿ファイル読取手段と読み取った出力用原稿ファイルを任意の前記基準タグリストおよび前記基準制御命令コードにあわせて出力用原稿ＨＴＭＬファイルにＨＴＭＬ変換をおこなう出力用原稿変換手段と、前記作成原稿ＨＴＭＬファイルと、前記出力用原稿変換手段を比較し異なる修正データを抽出する修正データ抽出手段と前記修正データを紙面やモニタ、記録媒体等の任意の出力媒体にて出力する修正データ出力手段とよりなる文書校正システム。
また、作成原稿ファイルから作成原稿ＨＴＭＬファイルを作成する任意の工程段階あるいは出力用原稿ファイルから出力用原稿ＨＴＭＬファイルを作成する任意の工程段階においてその時点でのファイルを保存するファイル保存手段を具備することを特徴とする文書校正システムで、本発明の文書校正システムはコンピュータに組み込まれているもしくは、記録媒体に記録されている利用の手段とするものである。
以上課題を解決する手段として本発明文書校正システムを提供する。
【発明の効果】
【０００５】  従来、作成原稿ファイルからテキストを編集作成後、出力用原稿ファイルにテキストを変換し、作成原稿ファイルから出力用原稿ファイル転換後の校正の方法がなかった。
従って、作成原稿ファイルからテキストを作成後、用紙にテキストデータをプリント出力し、作成原稿ファイルから出力用原稿ファイルにて編集後、ハードコピー出力をおこない、人為的読み上げ作業にて校正がおこなわれていたために、校正においての多額な費用と時間が必要であった。
本発明の効果により作成原稿ファイルから編集作成テキストからのＨＴＭＬの不要なタグの削除が実現され、また、出力用原稿ファイルにテキストを変換し、ＨＴＭＬの不要なタグの削除が実現される。
本発明はコンピュータに組み込まれているシステムもしくは、記録媒体に記録されているシステムにより作成原稿ファイルからテキストを編集作成後、出力用原稿ファイルにテキストを変換し、作成原稿ファイルから出力用原稿ファイル転換後の校正を可能としたことで、従来の校正における多額な人権費と校正時間の削除が実現とされる。
本発明は、以上の効果を実現するものである。
【発明を実施するための最良の形態】
【０００６】  以下、本発明の実施の形態について図１乃至図２をもちいて説明する。
図１に記載されているのは、本発明の実施の形態をチャートに示したもので作成原稿ファイル（１０）からテキストを編集（２０）後出力用原稿ファイル（３０）にテキストを変換し、作成原稿ファイル（１０）から編集（２０）、保存出力（１０７）と出力用原稿ファイル（３０）のデータの保存出力（３０５）を校正（４０）される。
図２の記載においては、前記図１に記載した本発明の実施形態の詳細なチャートを示した図で、作成原稿ファイル（１０）からＨＴＭＬテキスト（１０１）のデータＨＴＭＬの不要なタグの削除（１０２）がおこなわれ保存（１０３）される。
テキストの段落情報の削除から段落のない文章の作成（１０４）がおこなわれ、保存（１０５）される。
文章の改行作業指定ファイルの保存（１０６）され、保存出力（１０７）される。
出力用原稿ファイル（３０）から、ＨＴＭＬタグ付テキスト（３０１）のデータから、タグの段落改行作業（３０２）をおこない保存（３０３）される。
タグを削除指定ファイルの保存（３０４）し、保存出力（３０５）され、前記作成原稿ファイル（１０）から保存出力（１０７）されたデータと出力用原稿ファイル（３０）からの保存出力（３０５）の対比から校正（４０）がおこなわれる。
本発明の文書校正システムはコンピュータに組み込まれているもしくは、記録媒体に記録されている手段で利用されるものである。
以上、本発明の構成で、実施において下記に示す。
本発明の実施
任意の作成原稿ファイルのテキストを、出力用原稿ファイルテキストを編集作成後校正おこなうシステム及びソフトは既存しなかった。
従来、作成原稿ファイルからテキストを作成後、用紙にテキストデータをプリント出力し、作成原稿ファイルから出力用原稿ファイルにて編集後、ハードコピー出力をおこない、人為的読み上げ作業にて校正がおこなわれていた。
本発明は作成原稿ファイルからテキストを編集作成後、出力用原稿ファイルにテキストを変換し、作成原稿ファイルから出力用原稿ファイル転換後の校正おこなう校正を可能としたことで、従来の人為的読み上げ作業にておこなわれていた校正方法を必要としないものである。
本発明の文書校正システムはコンピュータに組み込まれているもしくは、記録媒体に記録されている手段で利用されるもので、本発明の校正システムにより、従来の校正おける人権費と校正時間の削除が実施される。
本発明は、以上実施されるものである。
【産業上の利用可能性】
【０００７】  本発明は作成原稿ファイルからテキストを編集作成後、出力用原稿ファイルにテキストを変換し、作成原稿ファイルから出力用原稿ファイル転換後の校正を可能としたことで、従来の人為的読み上げ作業にておこなわれていた校正方法に比較し、校正における人権費と校正時間の削除が実現される文章校正システムを提供するものである。
本発明の提供により、一般的な印刷校正や書籍の印刷校正、あらゆる作成原稿ファイルテキストから出力用原稿ファイル転換後の校正に活用されるものである。本発明は、以上の構成より産業上利用されるものである。
【図面の簡単な説明】
【０００８】
【図１】本発明の実施における構成の図である。
【図２】本発明の実施における構成の図である。
【符号の説明】
【０００９】１０．作成原稿ファイル
１０１．ＨＴＭＬテキスト
１０２．ＨＴＭＬ不要なタグの削除
１０３．保存
１０４．段落情報の削除と段落のない文章の作成
１０５．保存
１０６．文章改行作業指定ファイルの保存
１０７．保存出力
２０．編集
３０．出力用原稿ファイル
３０１．ＨＴＭＬタグ付テキスト
３０２．タグの段落改行作業
３０３．保存
３０４．タグを削除指定ファイルの保存
３０５．保存出力
４０．校正
【図１】
2006012099.tif 000003
【図２】
2006012099.tif 000004